(57)【要約】【課題】  液晶装置等の電気光学装置において、画像表示領域の面積をそのまま確保しながら小型化する。【解決手段】  電気光学装置は、複数の走査線及び複数のデータ線と、複数の画素部と、Ｎ（但し、Ｎは２以上の自然数）個のシリアル−パラレル変換された画像信号が供給されると共に、該画像信号に先行して所定電位のプリチャージ信号が一括して供給されるＮ本の画像信号線と、画像信号を画像信号供給期間にデータ線群毎に供給すると共に、プリチャージ信号を画像信号供給期間に先行するプリチャージ期間に複数のデータ線に供給する画像信号供給部と、プリチャージ期間の少なくとも一部に、Ｎ本の画像信号線を相互に電気的にショートさせるショート回路とを備える。【選択図】  図３
2006235282.tif 000002
【特許請求の範囲】
【請求項１】
基板上の画像表示領域に配線された複数の走査線及び複数のデータ線と、
前記走査線及び前記データ線に夫々電気的に接続された複数の画素部と、
前記複数のデータ線を、Ｎ本の前記データ線を１群とするデータ線群毎に駆動するためにＮ（但し、Ｎは２以上の自然数）個のシリアル−パラレル変換された画像信号が供給されると共に、該画像信号に先行して所定電位のプリチャージ信号が一括して供給されるＮ本の画像信号線と、
該Ｎ本の画像信号線を介して夫々供給される前記画像信号を画像信号供給期間に前記データ線群毎に供給すると共に、前記Ｎ本の画像信号線を介して一括に供給される前記プリチャージ信号を前記画像信号供給期間に先行するプリチャージ期間に前記複数のデータ線に供給する画像信号供給部と、
前記プリチャージ期間の少なくとも一部に、前記Ｎ本の画像信号線を相互に電気的にショートさせるショート回路と
を備えたことを特徴とする電気光学装置。
【請求項２】
前記ショート回路は、前記プリチャージ期間を規定するプリチャージ期間選択信号に同期して、前記Ｎ本の画像信号線をショートさせることを特徴とする請求項１に記載の電気光学装置。
【請求項３】
前記プリチャージ期間を規定するプリチャージ期間選択信号を遅延させる遅延回路を更に備え、
前記ショート回路は、前記遅延されたプリチャージ期間選択信号に同期して、前記Ｎ本の画像信号線をショートさせることを特徴とする請求項１に記載の電気光学装置。
【請求項４】
前記プリチャージ期間を包含する期間を規定するショート期間選択信号が外部から供給され、
前記ショート回路は、前記供給されたショート期間選択信号に同期して、前記Ｎ本の画像信号線をショートさせることを特徴とする請求項１に記載の電気光学装置。
【請求項５】
前記画像信号供給部は、前記複数の画像信号線から夫々供給される前記画像信号を、サンプリング信号に応じて前記データ線に夫々供給する複数のサンプリングスイッチを含むサンプリング回路と、
前記データ線群に対応する前記サンプリングスイッチ毎に、前記サンプリング信号を順次供給するデータ線駆動回路と
を備え、
前記複数のサンプリングスイッチは、前記プリチャージ期間を規定するプリチャージ期間選択信号に応じて、一括して導通状態とされることを特徴とする請求項１から４のいずれか一項に記載の電気光学装置。
【請求項６】
前記ショート回路は、前記Ｎ本の画像信号線のうち相隣接する２本の画像信号線の対のうち一方にソースが接続され且つ他方にドレインが接続され、選択的に前記対を相互にショートさせるトランジスタを、前記対の夫々について有することを特徴とする請求項１から５のいずれか一項に記載の電気光学装置。
【請求項７】
前記トランジスタのゲートには、前記プリチャージ期間を規定するプリチャージ期間選択信号、該プリチャージ期間選択信号が遅延された信号、及び前記プリチャージ期間を包含する期間を規定するショート期間選択信号のうちいずれか一つの信号が入力されることを特徴とする請求項６に記載の電気光学装置。
【請求項８】
前記Ｎ本の画像信号線は、前記基板上で外部回路接続端子から前記画像信号供給部に至るまで、相互に異なる配線長さを有するように引き回されていることを特徴とする請求項１から３のいずれか一項に記載の電気光学装置。
【請求項９】
請求項１から８のいずれか一項に記載の電気光学装置を具備してなることを特徴とする電子機器。
【請求項１０】
基板上の画像表示領域に配線された複数の走査線及び複数のデータ線と、前記走査線及び前記データ線に夫々電気的に接続された複数の画素部と、Ｎ本の画像信号線とを備えた電気光学装置を駆動する駆動方法であって、
画像信号供給期間に先行するプリチャージ期間に、前記Ｎ本の画像信号線を介して一括に、所定電位のプリチャージ信号を前記複数のデータ線に供給するプリチャージ工程と、
前記プリチャージ期間だけ、前記Ｎ本の画像信号線を相互に電気的にショートさせるショート工程と
前記画像信号供給期間に、Ｎ本の前記データ線を１群とするデータ線群毎に駆動するために、Ｎ（但し、Ｎは２以上の自然数）個のシリアル−パラレル変換された画像信号を、前記Ｎ本の画像信号線を介して前記データ線群毎に供給する画像信号供給工程と
を備えたことを特徴とする電気光学装置の駆動方法。
【請求項１１】
基板上の画像表示領域に配線された複数の走査線及び複数のデータ線と、前記走査線及び前記データ線に夫々電気的に接続された複数の画素部と、Ｎ本の画像信号線とを備えた電気光学装置を駆動する駆動方法であって、
画像信号供給期間に先行するプリチャージ期間に、前記Ｎ本の画像信号線を介して一括に、所定電位のプリチャージ信号を前記複数のデータ線に供給するプリチャージ工程と、
前記プリチャージ期間に遅れると共に前記プリチャージ期間と等しい長さの期間だけ、前記Ｎ本の画像信号線を相互に電気的にショートさせるショート工程と
前記画像信号供給期間に、Ｎ本の前記データ線を１群とするデータ線群毎に駆動するために、Ｎ（但し、Ｎは２以上の自然数）個のシリアル−パラレル変換された画像信号を、前記Ｎ本の画像信号線を介して前記データ線群毎に供給する画像信号供給工程と
を備えたことを特徴とする電気光学装置の駆動方法。
【請求項１２】
基板上の画像表示領域に配線された複数の走査線及び複数のデータ線と、前記走査線及び前記データ線に夫々電気的に接続された複数の画素部と、Ｎ本の画像信号線とを備えた電気光学装置を駆動する駆動方法であって、
画像信号供給期間に先行するプリチャージ期間に、前記Ｎ本の画像信号線を介して一括に、所定電位のプリチャージ信号を前記複数のデータ線に供給するプリチャージ工程と、
前記プリチャージ期間を包含する期間だけ、前記Ｎ本の画像信号線を相互に電気的にショートさせるショート工程と
前記画像信号供給期間に、Ｎ本の前記データ線を１群とするデータ線群毎に駆動するために、Ｎ（但し、Ｎは２以上の自然数）個のシリアル−パラレル変換された画像信号を、前記Ｎ本の画像信号線を介して前記データ線群毎に供給する画像信号供給工程と
を備えたことを特徴とする電気光学装置の駆動方法。
【発明の詳細な説明】
【技術分野】
【０００１】
本発明は、例えば液晶装置等の電気光学装置、及びその駆動方法、並びにそのような電気光学装置を具備してなる例えば液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。更に、この種の電気光学装置では、大なり小なり配線容量を有するデータ線を介して画素部に画像信号を書き込む際におけるサンプリング回路の書き込み能力を補うことが望まれる。
【０００３】
このため、例えば画像信号の帰線期間中など、画像信号に先行して所定電位のプリチャージ信号を、データ線に書き込むプリチャージが行われるのが一般的である。そして、このプリチャージには、例えば特許文献１に開示されているように、画像信号と同一の信号供給経路でプリチャージ信号を供給する、いわゆる「ビデオプリチャージ」方式が一般的である。特に画像信号のフィールド毎或いはフレーム毎に反転駆動する際には、供給しようとする画像信号と常に反対極性の電位にあるデータ線を介して画像信号を書き込むのでは、大きな書き込み能力が必要となるため、このようなプリチャージは、極めて有効とされている。しかも、ビデオプリチャージであれば、伝統的なプリチャージのように、画像信号の信号供給経路とは別に専用の信号供給経路を構築する必要がないので有利であるとされている。
【０００４】
【特許文献１】特開平８−３３４７４５号公報
【発明の開示】
【発明が解決しようとする課題】
【０００５】
しかしながら、上述した特許文献１の技術、即ちビデオプリチャージによれば、シリアル−パラレル変換された画像信号に基づいて駆動する場合には、シリアル−パラレル変換数に応じた複数の画像信号の夫々に対して、一括に同一のプリチャージ信号が外部回路から供給される。すると、複数の画像信号線は、その基板上の平面レイアウトに起因して、相互に異なる時定数を持っている場合が殆どである。このため、複数の画像信号線に接続された複数のデータ線の相互間では、プリチャージ期間に相互に異なる電位にチャージされてしまう結果となる。従って、係るプリチャージ後の電位の相違に起因して、同一電位の画像信号を供給しても、相異なる電位にチャージされることとなり、結局、複数の画像信号の系列毎に輝度ムラ或いはデータ線に沿った縦スジが発生し得るという技術的問題点がある。この問題は、駆動周波数を高める程、よって高精細の画像表示を行おうとすればする程に、深刻さを増してしまう。即ち、高品位の画像表示を行う上での極めて重大な障害となり得る。
【０００６】
本発明は、上記問題点に鑑み成されたものであり、例えば前述したような各ブロックの境目で輝度ムラや縦スジが発生するのを防止して、高品質な画像表示を行うことが可能な電気光学装置及びその駆動方法、並びに該電気光学装置を備えた各種電子機器を提供することを課題とする。
【課題を解決するための手段】
【０００７】
本発明の電気光学装置は上記課題を解決するために、基板上の画像表示領域に配線された複数の走査線及び複数のデータ線と、前記走査線及び前記データ線に夫々電気的に接続された複数の画素部と、前記複数のデータ線を、Ｎ本の前記データ線を１群とするデータ線群毎に駆動するためにＮ（但し、Ｎは２以上の自然数）個のシリアル−パラレル変換された画像信号が供給されると共に、該画像信号に先行して所定電位のプリチャージ信号が一括して供給されるＮ本の画像信号線と、該Ｎ本の画像信号線を介して夫々供給される前記画像信号を画像信号供給期間に前記データ線群毎に供給すると共に、前記Ｎ本の画像信号線を介して一括に供給される前記プリチャージ信号を前記画像信号供給期間に先行するプリチャージ期間に前記複数のデータ線に供給する画像信号供給部と、前記プリチャージ期間の少なくとも一部に、前記Ｎ本の画像信号線を相互に電気的にショートさせるショート回路とを備える。
【０００８】
本発明の電気光学装置によれば、その駆動時には、シリアル−パラレル変換されたＮ個の画像信号が、Ｎ本の画像信号線に供給され、更に、画像信号供給部へと供給される。例えば、Ｎ個の画像信号は、駆動周波数の上昇を抑えつつ高精細な画像表示を実現すべく、外部回路によって、シリアルな画像信号が、３相、６相、１２相、２４相、・・・など、複数のパラレルな画像信号に変換されることによって生成される。
【０００９】
このような画像信号の供給と並行して、画像信号供給部によって、複数のデータ線には、データ線群毎にＮ個の画像信号が順次供給される。画像信号供給部は、例えば、データ線駆動回路及びサンプリング回路から構成され、データ線駆動回路によって、データ線群に対応するサンプリングスイッチ毎に、サンプリング信号が順次供給される。すると、サンプリング回路によって、複数のデータ線には、サンプリング信号に応じてデータ線群毎にＮ個の画像信号が順次供給される。よって、同一のデータ線群に属するデータ線は同時に駆動されることとなる。尚、サンプリングスイッチは、例えば、片チャネル型のＴＦＴにより夫々構成され、ソースが分岐配線に電気的に接続され、ドレインがデータ線に接続され、ゲートにサンプリング信号が供給されることでオン状態となる。
【００１０】
このようにデータ線が駆動されると、各画素部では、例えば、走査線駆動回路から走査線を介して供給される走査信号に応じて画素電極が選択状態となり、スイッチング動作を行う画素スイッチング素子を介して、データ線より画像信号が画素電極に供給される。これにより、例えば表示素子である液晶素子は供給された画像信号に基づいて画像表示を行う。
【００１１】
画像信号を供給する画像信号供給期間に先行するプリチャージ期間において、ビデオプリチャージが行われる。ビデオプリチャージとは、書き込み不足を防止するために、画像信号線を介して、データ線を充電もしくは放電させ、予めデータ線の電位を画像信号電位に近づけるような制御をいう。ビデオプリチャージは、プリチャージタイミングに応じて、複数のデータ線に対して一斉に、或いはデータ線毎に行われる。より具体的には、データ書き込み時には、書き込むべきタイミングでデータ線を画像信号線と導通させるが、プリチャージ動作時には、プリチャージされるべきタイミングでデータ線を画像信号線と導通させる。後者の場合、画像信号線上には、画像信号ではなく、プリチャージ信号が送出される。その結果、データ線にプリチャージ信号が印加され、データ線の電位が確保される。
【００１２】
ここで特に、複数の画像信号線は、その基板上の平面レイアウトに起因して、相互に異なる時定数を持っている場合が殆どである。従って、仮に複数の画像信号線を介して別々にプリチャージ信号を供給したのでは、複数の画像信号線に接続された複数のデータ線の相互間では、プリチャージ期間に相互に異なる電位にチャージされてしまう。
【００１３】
しかるに本発明の電気光学装置によれば、ショート回路によって、プリチャージ期間の少なくとも一部において、Ｎ本の画像信号線は相互に電気的にショート、即ち短絡される。このため、Ｎ本の画像信号線の時定数は、その基板上の平面レイアウトによらず、揃うこととなる。即ち、Ｎ本の画像信号線の時定数は、殆ど又は実践的な意味で完全に一致することになる。従って、プリチャージ後の電位の相異が発生することを防止することができる。
【００１４】
以上の結果、複数の画像信号の系列毎に輝度ムラ或いはデータ線に沿った縦スジが発生すること防止することができ、最終的には、高品質な画像表示を行うことが可能となる。
【００１５】
本発明の電気光学装置の一態様では、前記ショート回路は、前記プリチャージ期間を規定するプリチャージ期間選択信号に同期して、前記Ｎ本の画像信号線をショートさせる。
【００１６】
この態様によれば、ショート回路は、プリチャージ期間を規定するプリチャージ期間選択信号に同期して、即ち、プリチャージ期間だけ、Ｎ本の画像信号線をショートさせる。このため、プリチャージ期間中、Ｎ本の画像信号線はショートされているので、複数の画像信号線の時定数は、その基板上の平面レイアウトによらず、揃うこととなる。従って、複数の画像信号線に接続された複数のデータ線の相互間で、プリチャージ期間に相互に異なる電位にチャージされてしまうことを防止することができる。
【００１７】
本発明の電気光学装置の他の態様では、前記プリチャージ期間を規定するプリチャージ期間選択信号を遅延させる遅延回路を更に備え、前記ショート回路は、前記遅延されたプリチャージ期間選択信号に同期して、前記Ｎ本の画像信号線をショートさせる。
【００１８】
この態様によれば、プリチャージ期間を規定するプリチャージ期間選択信号は、遅延回路に供給され、遅延回路よって、プリチャージ期間選択信号は遅延される。この遅延されたプリチャージ期間選択信号に同期して、ショート回路は、Ｎ本の画像信号線をショートさせる、即ち、プリチャージ期間よりも遅れて、プリチャージ期間と同じ長さだけショートさせる。
【００１９】
プリチャージ期間の終了時には、画像信号線からのプリチャージ信号の供給は一斉に終了する。そのため、プリチャージ期間の終了時には、画像信号線のプリチャージ信号に揺らぎが生じる。この揺らぎが回復するまでの時間は、複数の画像信号線の時定数によって異なる。従って、プリチャージ期間の終了時に複数の画像信号線のショートを終了すると、その後、複数の画像信号線の時定数が相異するため、この揺らぎが回復するまでの時間も異なってしまう可能性がある。
【００２０】
しかるにこの態様によれば、プリチャージ期間よりも遅れて、プリチャージ期間と同じ長さだけショートさせるので、プリチャージ期間の終了時においても、複数の画像信号線はショートされている。このため、プリチャージ期間の終了時における画像信号線のプリチャージ信号の揺らぎが回復するまでの期間は、複数の画像信号線をショートさせている。その結果、複数の画像信号線に接続された複数のデータ線の相互間で、プリチャージ期間に相互に異なる電位にチャージされてしまうのを一層有効に防止することができる。
【００２１】
本発明の電気光学装置の他の態様では、前記プリチャージ期間を包含する期間を規定するショート期間選択信号が外部から供給され、前記ショート回路は、前記供給されたショート期間選択信号に同期して、前記Ｎ本の画像信号線をショートさせる。
【００２２】
この態様によれば、プリチャージ期間を包含する期間を規定するショート期間選択信号が外部から供給される。この供給されたショート期間選択信号に同期して、ショート回路は、Ｎ本の画像信号線をショートさせる、即ち、プリチャージ期間の開始時点より早い時点からプリチャージ期間の終了時点よりも遅い時点まで、プリチャージ期間と同じ長さだけショートさせる。このため、プリチャージ期間の開始時点でのプリチャージ信号の立ち上がり及びプリチャージ期間の終了時点での立下りにおける、画像信号線の時定数の相異に起因するプリチャージ信号の揺らぎの影響を受けずに済む。よって、複数の画像信号線に接続された複数のデータ線の相互間で、プリチャージ期間に相互に異なる電位にチャージされてしまうのを、より一層有効に防止することができる。
【００２３】
本発明の電気光学装置の他の態様では、前記画像信号供給部は、前記複数の画像信号線から夫々供給される前記画像信号を、サンプリング信号に応じて前記データ線に夫々供給する複数のサンプリングスイッチを含むサンプリング回路と、前記データ線群に対応する前記サンプリングスイッチ毎に、前記サンプリング信号を順次供給するデータ線駆動回路とを備え、前記複数のサンプリングスイッチは、前記プリチャージ期間を規定するプリチャージ期間選択信号に応じて、一括して導通状態とされる。
【００２４】
この態様によれば、画像信号供給部は、複数のサンプリングスイッチを含むサンプリング回路とデータ線駆動回路とを備えている。データ線駆動回路は、データ線群に対応するサンプリングスイッチ毎に、サンプリング信号を順次供給する。複数のサンプリングスイッチは、画像信号を供給すべき際には、複数の画像信号線から夫々供給される画像信号を、サンプリング信号に応じてサンプリングして、データ線に夫々供給する。複数のサンプリングスイッチは、プリチャージすべき際には、プリチャージ期間を規定するプリチャージ期間選択信号に応じて、一括して導通状態とされる。このため、プリチャージ期間中、データ線群に一括して、プリチャージ信号を供給することができる。尚、サンプリングスイッチは、例えば、片チャネル型のＴＦＴにより夫々構成され、ソースが画像信号線に電気的に接続され、ドレインがデータ線に接続され、ゲートにサンプリング信号が供給されることでオン状態とされる。
【００２５】
本発明の電気光学装置の他の態様では、前記ショート回路は、前記Ｎ本の画像信号線のうち相隣接する２本の画像信号線の対のうち一方にソースが接続され且つ他方にドレインが接続され、選択的に前記対を相互にショートさせるトランジスタを、前記対の夫々について有する。
【００２６】
この態様によれば、Ｎ本の画像信号線のうち相隣接する２本の画像信号線の対のうち一方にソースが接続され且つ他方にドレインが接続された例えば薄膜トランジスタ等のトランジスタのゲートがオン状態になることで、相隣接する２本の画像信号線の対は導通状態となる。これらのトランジスタのゲートを選択的にオン状態にすることで、相隣接する２本の画像信号線の対を選択的に相互にショートさせることができる。よって、複数の画像信号線の時定数を、その基板上の平面レイアウトによらず、全て或いは選択的に揃えることができる。従って、プリチャージ後の電位の相異が発生することを防止することができる。尚、相隣接する２本の画像信号線の対を相互にショートさせるトランジスタは、薄膜トランジスタに限られず、バルクトランジスタ等であってもよい。
【００２７】
この相隣接する２本の画像信号線の対に接続されたトランジスタを有する態様では、前記トランジスタのゲートには、前記プリチャージ期間を規定するプリチャージ期間選択信号、該プリチャージ期間選択信号が遅延された信号、及び前記プリチャージ期間を包含する期間を規定するショート期間選択信号のうちいずれか一つの信号が入力されてもよい。
【００２８】
この場合には、トランジスタのゲートに、プリチャージ期間を規定するプリチャージ期間選択信号、プリチャージ期間選択信号が遅延された信号、及びプリチャージ期間を包含する期間を規定するショート期間選択信号のうちいずれか一つの信号が入力されると、その信号に同期して、トランジスタに接続された相隣接する２本の画像信号線がショートされる。よって、プリチャージ期間選択信号が入力された場合には、プリチャージ期間と同期して画像信号線をショートすることができる。プリチャージ期間選択信号が遅延された信号が入力された場合には、プリチャージ期間の終了時の電圧の揺らぎの影響を受けずに済むことができる。また、プリチャージ期間を包含する期間を規定するショート期間選択信号が入力された場合には、プリチャージ期間の開始時及び終了時における、画像信号線のプリチャージ信号に揺らぎの影響を受けずに済むことができる。
【００２９】
本発明の電気光学装置の他の態様では、前記Ｎ本の画像信号線は、前記基板上で外部回路接続端子から前記画像信号供給部に至るまで、相互に異なる配線長さを有するように引き回されている。
【００３０】
この態様によれば、Ｎ本の画像信号線は、基板上で外部回路接続端子から画像信号供給部に至るまで、相互に異なる配線長さで平面レイアウトすることができる。更に、ショート回路によって、プリチャージ期間の少なくとも一部において、Ｎ本の画像信号線は相互に電気的にショート、即ち短絡されるので、Ｎ本の画像信号線の時定数は、その基板上の平面レイアウトによらず、殆ど揃うこととなる。従って、プリチャージ後の電位の相異が発生することを防止することができる。
【００３１】
本発明の電子機器は上記課題を解決するために、上述した本発明の電気光学装置（但し、その各種態様も含む）を具備する。
【００３２】
本発明の電子機器は、上述した本発明の電気光学装置を具備してなるので、高品質な画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital Light Processing）等を実現することも可能である。
【００３３】
本発明の第１の電気光学装置の駆動方法は上記課題を解決するために、基板上の画像表示領域に配線された複数の走査線及び複数のデータ線と、前記走査線及び前記データ線に夫々電気的に接続された複数の画素部と、Ｎ本の画像信号線とを備えた電気光学装置を駆動する駆動方法であって、画像信号供給期間に先行するプリチャージ期間に、前記Ｎ本の画像信号線を介して一括に、所定電位のプリチャージ信号を前記複数のデータ線に供給するプリチャージ工程と、前記プリチャージ期間だけ、前記Ｎ本の画像信号線を相互に電気的にショートさせるショート工程と前記画像信号供給期間に、Ｎ本の前記データ線を１群とするデータ線群毎に駆動するために、Ｎ（但し、Ｎは２以上の自然数）個のシリアル−パラレル変換された画像信号を、前記Ｎ本の画像信号線を介して前記データ線群毎に供給する画像信号供給工程とを備える。
【００３４】
本発明の第１の電気光学装置の駆動方法によれば、プリチャージ期間だけ、Ｎ本の画像信号線をショートさせる。このため、複数の画像信号線に接続された複数のデータ線の相互間で、プリチャージ期間に相互に異なる電位にチャージされてしまうことを防止できる。
【００３５】
本発明の第２の電気光学装置の駆動方法は上記課題を解決するために、基板上の画像表示領域に配線された複数の走査線及び複数のデータ線と、前記走査線及び前記データ線に夫々電気的に接続された複数の画素部と、Ｎ本の画像信号線とを備えた電気光学装置を駆動する駆動方法であって、画像信号供給期間に先行するプリチャージ期間に、前記Ｎ本の画像信号線を介して一括に、所定電位のプリチャージ信号を前記複数のデータ線に供給するプリチャージ工程と、前記プリチャージ期間に遅れると共に前記プリチャージ期間と等しい長さの期間だけ、前記Ｎ本の画像信号線を相互に電気的にショートさせるショート工程と前記画像信号供給期間に、Ｎ本の前記データ線を１群とするデータ線群毎に駆動するために、Ｎ（但し、Ｎは２以上の自然数）個のシリアル−パラレル変換された画像信号を、前記Ｎ本の画像信号線を介して前記データ線群毎に供給する画像信号供給工程とを備える。
【００３６】
本発明の第２の電気光学装置の駆動方法によれば、プリチャージ期間の終了時においても、複数の画像信号線はショートされている。このため、複数の画像信号線に接続された複数のデータ線の相互間で、プリチャージ期間に相互に異なる電位にチャージされてしまうのを一層有効に防止することができる。
【００３７】
本発明の第３の電気光学装置の駆動方法は上記課題を解決するために、基板上の画像表示領域に配線された複数の走査線及び複数のデータ線と、前記走査線及び前記データ線に夫々電気的に接続された複数の画素部と、Ｎ本の画像信号線とを備えた電気光学装置を駆動する駆動方法であって、画像信号供給期間に先行するプリチャージ期間に、前記Ｎ本の画像信号線を介して一括に、所定電位のプリチャージ信号を前記複数のデータ線に供給するプリチャージ工程と、前記プリチャージ期間を包含する期間だけ、前記Ｎ本の画像信号線を相互に電気的にショートさせるショート工程と前記画像信号供給期間に、Ｎ本の前記データ線を１群とするデータ線群毎に駆動するために、Ｎ（但し、Ｎは２以上の自然数）個のシリアル−パラレル変換された画像信号を、前記Ｎ本の画像信号線を介して前記データ線群毎に供給する画像信号供給工程とを備える。
【００３８】
本発明の第３の電気光学装置の駆動方法によれば、プリチャージ期間の開始時点より早い時点からプリチャージ期間の終了時点よりも遅い時点まで、プリチャージ期間と同じ長さだけショートさせる。このため、複数の画像信号線に接続された複数のデータ線の相互間で、プリチャージ期間に相互に異なる電位にチャージされてしまうのを、より一層有効に防止することができる。
【００３９】
尚、上述した本発明の電気光学装置に係る各種態様と同様の各種態様を、第１から第３の電気光学装置の駆動方法にも適宜適用可能である。
【００４０】
本発明のこのような作用及び他の利得は次に説明する実施の形態から明らかにされる。
【発明を実施するための最良の形態】
【００４１】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
【００４２】
（第１実施形態）
第１実施形態に係る液晶装置について、図１から図５を参照して説明する。
【００４３】
先ず、図１及び図２を参照して、本実施形態に係る液晶装置の全体構成について、説明する。ここに図１は、本実施形態に係る液晶装置の構成を示す平面図であり、図２は、図１のＨ−Ｈ’線での断面図である。
【００４４】
図１及び図２において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４５】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４６】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００４７】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００４８】
尚、ここでは図示しないが、ＴＦＴアレイ基板１０上には、データ線駆動回路１０１、走査線駆動回路１０４の他に、後述するショート回路等が形成されている。これに加えて、製造途中や出荷時の当該液晶装置の品質、欠陥等を検査するための検査回路、検査用パターン等が形成されていてもよい。
【００４９】
次に図３を参照して、本実施形態に係る液晶装置の動作について説明する。ここに図３は、本実施形態に係る液晶装置の要部構成を表すブロック図である。図４は、図３に示した構成のうちビデオプリチャージ動作に関する駆動系を表すブロック図である。
【００５０】
図３において、本実施形態の液晶装置は、例えば石英基板、ガラス基板或いはシリコン基板等からなるＴＦＴアレイ基板１０と対向基板２０（ここでは図示せず）とが液晶層を介して対向配置され、画像表示領域１０ａにおいて区画配列された画素電極９ａに印加する電圧を制御し、液晶層にかかる電界を画素毎に変調する構成となっている。これにより、両基板間の透過光量が制御され、画像が階調表示される。本実施形態に係る液晶装置はＴＦＴアクティブマトリクス駆動方式を採り、ＴＦＴアレイ基板１０における画素表示領域１０ａには、マトリクス状に配置された複数の画素電極９ａと、互いに交差して配列された複数の走査線２及びデータ線３とが形成され、画素に対応する画素部が構築されている。尚、ここでは図示しないが、各画素電極９ａとデータ線３との間には、走査線２を介して夫々供給される走査信号に応じて導通、非導通が制御されるＴＦＴや、画素電極９ａに印加した電圧を維持するための蓄積容量が形成されている。また、画像表示領域１０ａの周辺領域には、データ線駆動回路１０１等の駆動回路が形成されている。
【００５１】
データ線駆動回路１０１は、サンプリング回路７を駆動し、画像信号線６に供給される画像信号ＶＩＤ１〜ＶＩＤ６を、データ信号印加の基準クロック信号であるサンプリング回路駆動信号Ｓｉ（ｉ＝１、…、ｎ）に応じてサンプリングさせ、夫々をデータ信号としてデータ線３に印加する。
【００５２】
画像信号ＶＩＤ１〜ＶＩＤ６は、外部の画像信号処理回路により６相にシリアル−パラレル展開されており、６本の画像信号線６を介してサンプリング回路７に入力される。
【００５３】
図４において、サンプリング回路７は、Ｐチャネル型又はＮチャネル型の片チャネル型ＴＦＴ若しくは相補型のＴＦＴから構成されたサンプリングスイッチ７１からなる。一方、データ線駆動回路１０１内に入力されるＸ側クロック信号ＣＬＸ（及びその反転信号ＣＬＸ'）、シフトレジスタスタート信号ＤＸに基づいて生成されるサンプリング回路駆動信号Ｓｉ（ｉ＝１、…、ｎ）は、夫々６つに分岐する制御信号線Ｘ１、…Ｘｎを介して６個の隣接するサンプリングスイッチ７１に入力される。従って、サンプリング回路７は、６個のサンプリングスイッチ７１群毎に駆動される。このように、複数の画像信号線６に対し、シリアルな画像信号を変換して得たパラレルな画像信号を同時供給すると、データ線３への画像信号入力をグループ毎に行うことができ、駆動周波数が抑えられる。
【００５４】
再び図３において、走査線駆動回路１０４は、マトリクス状に配置された複数の画素電極９ａに対し、データ信号及び走査信号により走査線２の配列方向に走査すべく、走査信号印加の基準クロックであるＹ側クロック信号ＣＬＹ（及びその反転信号ＣＬＹ'）、シフトレジスタスタート信号ＤＹに基づいて生成される走査信号を、複数の走査線２に順次印加するように構成されている。その際には、各走査線２には、両端から同時に電圧が印加される。
【００５５】
また、本実施形態においては、制御信号線Ｘ１、…Ｘｎに対し、サンプリング回路駆動信号Ｓｉとは別に本発明に係る「プリチャージ期間選択信号」の一例たるプリチャージタイミング信号ＮＲＧ（Noise Reduction Gate）が入力可能な構成となっている。より詳細には、サンプリング回路駆動信号Ｓｉ、プリチャージタイミング信号ＮＲＧを供給する各信号線が、ＯＲ回路５１を介して制御信号線Ｘ１、…Ｘｎに接続されている。プリチャージタイミング信号ＮＲＧは、画像信号ＶＩＤ１〜ＶＩＤ６の書き込み期間（即ち、画像信号供給期間）に先立つプリチャージ期間を規定し、制御信号線Ｘ１、…Ｘｎに一斉に供給される。従って、プリチャージタイミング信号ＮＲＧによって全てのサンプリングスイッチ７１は同時に導通し、全データ線３が、一斉に画素信号線６に接続された導通状態とされる。ここで特に、データ線３は、プリチャージ期間において画像信号線６により導通状態とされるのみであり、画像信号線６から信号の供給は受けない。或いは、データ線３は、プリチャージ期間において導通状態とされた画像信号線６を介して、画像信号の電位とは別の所定電位に接続されている。
【００５６】
尚、プリチャージタイミング信号ＮＲＧやクロック信号等の各種タイミング信号は、回路部に設けられた、図示しないタイミングジェネレータにて生成され、液晶装置内に供給される。また、各駆動回路の駆動に必要な電源電圧等もまた外部から液晶装置内に供給される。
【００５７】
更に、上下導通端子１０６から引き出された信号線８には、電圧源２００より対向電極電位ＬＣＣが供給される。対向電極電位ＬＣＣは、信号線８、上下導通端子１０６及び上下導通材１０７（図１参照）を介して対向電極２１に供給される。ここで、電圧源２００は、対向電極電位ＬＣＣとして、画素電極９ａとの電位差を適正に保持して液晶保持容量を形成するための基準電位と、プリチャージ期間の少なくとも一部に基準電位とは異なる電圧のプリチャージ電位とを生成出力するように構成されている。尚、対向電極２１は、対向基板２０における画像表示領域１０ａ全面にベタ電極として形成されている。
【００５８】
次に、本実施形態に係る液晶装置のビデオプリチャージ動作について図３から図５を参照して説明する。図５は、図４に示した駆動系における各種信号のタイミングチャートである。
【００５９】
図５のタイミングチャートに示したように、各フィールド期間３５において、画像信号ＶＩＤ１〜ＶＩＤ６によるデータ書き込み期間、即ち画像信号供給期間３２に先行してプリチャージタイミング信号ＮＲＧが入力されると、この信号が制御信号線Ｘ１、…Ｘｎを通じて全てのサンプリングスイッチ７１のゲートに入力され、全データ線３を画像信号線６と導通させる。即ち、プリチャージタイミング信号ＮＲＧにより規定されるプリチャージ期間３１には、データ線３は導通状態となる。
【００６０】
プリチャージ期間３１には、プリチャージタイミング信号ＮＲＧの入力に伴って画像信号線６にプリチャージ信号４５が供給され、これが全データ線３に一斉に印加される。プリチャージ信号４５は、画像信号ＶＩＤ１〜ＶＩＤ６に挿入されており、データ線３はプリチャージ信号４５の直接印加により充電又は放電される、即ちビデオプリチャージされる。
【００６１】
尚、面反転駆動により、各フィールドの画像信号ＶＩＤ１〜ＶＩＤ６は少なくとも画像信号供給期間３２毎に極性が反転する。そのため、プリチャージ信号４５もプリチャージ期間３１毎に、対向電極電位ＬＣＣを基準として、極性が反転する。即ち、プリチャージ信号４５は、プリチャージ期間３１毎に正極性のプリチャージレベルＮＲＳＨと負極性のプリチャージレベルＮＲＳＬを交互にとる。尚、ここに「極性が反転する」又は「極性反転」とは、グランドレベルに対して＋電位及び−電位に反転する場合の他、例えば対向電極電位或いは共通電位といった、グランドレベル以外の所定電位に対して反転する場合も含む意味である。
【００６２】
画像信号供給期間３２には、クロック信号ＣＬＸ（及びその反転信号ＣＬＸ'）、シフトレジスタスタート信号ＤＸの入力により、データ線駆動回路１０１においてサンプリング回路駆動信号Ｓ１、Ｓ２、Ｓ３、…が生成され、サンプリング回路７１に順次供給される。これらのサンプリング回路駆動信号Ｓｉは、夫々制御信号線Ｘ１、…Ｘｎを通じて６個のサンプリングスイッチ７１群毎にサンプリング回路７を駆動し、サンプリングスイッチ７１に対応する６本のデータ線３の組毎に画像信号線６から画像信号ＶＩＤ１〜ＶＩＤ６を供給する。これらの画像信号ＶＩＤ１〜ＶＩＤ６は、各データ線３から選択画素列の画素電極９ａに印加され、データの書き込みが行われる。
【００６３】
図５に示すように、画像信号ＶＩＤ１〜ＶＩＤ６を供給する画像信号供給期間３２に先行するプリチャージ期間３１において、上述したビデオプリチャージが行われる。本実施形態に係るビデオプリチャージは、プリチャージタイミング信号ＮＲＧに応じて、複数のデータ線３に対して一斉に行われる。より具体的には、画像信号供給期間３２では、書き込むべきタイミングでデータ線３を画像信号線６と導通させるが、プリチャージ期間３１では、プリチャージされるべきタイミングでデータ線３を画像信号線６と導通させる。プリチャージ期間３１では、画像信号線６上には、画像信号ＶＩＤ１〜ＶＩＤ６ではなく、プリチャージ信号４５が送出される。その結果、データ線３にプリチャージ信号４５が印加され、データ線３の電位が確保される。
【００６４】
図４及び図５において、本実施形態では特に、複数の画像信号線６は、ＴＦＴアレイ基板１０上の平面レイアウトに起因して、相互に異なる時定数を持っている場合が殆どである。従って、仮に複数の画像信号線６を介して別々にプリチャージ信号４５を供給したのでは、複数の画像信号線６に接続された複数のデータ線３の相互間では、プリチャージ期間３１に相互に異なる電位にチャージされてしまう。
【００６５】
しかるに本実施形態の液晶装置によれば、ショート回路３００によって、プリチャージ期間３１の少なくとも一部において、６本の画像信号線６は相互に電気的にショート、即ち短絡される。このため、６本の画像信号線の時定数は、ＴＦＴアレイ基板１０上の平面レイアウトによらず、揃うこととなる。即ち、６本の画像信号線６の時定数は、殆ど一致することになる。従って、プリチャージ後の電位の相異が発生することを防止することができる。
【００６６】
以上の結果、複数の画像信号ＶＩＤ１〜ＶＩＤ６の系列毎に輝度ムラ或いはデータ線に沿った縦スジが発生すること防止することができ、最終的には、高品質な画像表示を行うことが可能となる。
【００６７】
図４及び図５において、本実施形態に係る液晶装置では、ショート回路３００は、プリチャージ期間３１を規定するプリチャージタイミング信号ＮＲＧに同期して、即ち、プリチャージ期間３１だけ、６本の画像信号線６をショートさせる。このため、プリチャージ期間中、Ｎ本の画像信号線６はショートされているので、複数の画像信号線６の時定数は、その基板上の平面レイアウトによらず、揃うこととなる。従って、複数の画像信号線６に接続された複数のデータ線３の相互間で、プリチャージ期間３１に相互に異なる電位にチャージされてしまうことを防止することができる。
【００６８】
図４において、ショート回路３００は、６本の画像信号線６のうち相隣接する２本の画像信号線６の対のうち一方にソースが接続され且つ他方にドレインが接続され、選択的にこれらの対を相互にショートさせる薄膜トランジスタ３１０を、これらの対の夫々について有する。
【００６９】
このように構成されているので、６本の画像信号線６のうち相隣接する２本の画像信号線６の対のうち一方にソースが接続され且つ他方にドレインが接続された薄膜トランジスタ３１０のゲートがオン状態になることで、相隣接する２本の画像信号線６の対は導通状態となる。これらの薄膜トランジスタ３１０のゲートを選択的にオン状態にすることで、相隣接する２本の画像信号線６の対を選択的に相互にショートさせることができる。よって、複数の画像信号線６の時定数を、その基板上の平面レイアウトによらず、全て或いは選択的に揃えることができる。従って、プリチャージ後の電位の相異が発生することを防止することができる。
【００７０】
図１及び図４において、本実施形態では、６本の画像信号線６は、ＴＦＴアレイ基板１０上で外部回路接続端子１０２から画像信号供給部１０５に至るまで、相互に異なる配線長さを有するように引き回されている。画像信号供給部１０５は、データ線駆動回路１０１及びサンプリング回路７からなる。
【００７１】
このように構成されているので、６本の画像信号線６は、ＴＦＴアレイ基板１０上で外部回路接続端子１０２から画像信号供給部１０５に至るまで、相互に異なる配線長さで平面レイアウトすることができる。更に、ショート回路３００によって、プリチャージ期間３１を規定するプリチャージタイミング信号ＮＲＧに同期して、即ち、プリチャージ期間３１だけ、６本の画像信号線６は相互に電気的にショートされるので、６本の画像信号線６の時定数は、その基板上の平面レイアウトによらず、殆ど揃うこととなる。従って、プリチャージ後の電位の相異が発生することを防止することができる。
【００７２】
（第２実施形態）
第２実施形態に係る液晶装置について、図６及び図７を参照して説明する。ここに図６は、第２実施形態における図４と同趣旨の図である。図７は、第２実施形態における図５と同趣旨の図である。尚、図６及び図７において、図１から図５に示した第１実施形態に係る構成要素と同様の構成要素に同一の参照符合を付し、それらの説明は適宜省略する。
【００７３】
図６及び図７において、第２実施形態の液晶装置では特に、プリチャージ期間３１を規定するプリチャージタイミング信号ＮＲＧを遅延させる遅延回路４００を更に備え、ショート回路３００は、遅延されたプリチャージタイミング信号ＮＲＧ２に同期して、６本の画像信号線６をショートさせる。
【００７４】
本実施形態によれば、プリチャージ期間３１を規定するプリチャージタイミング信号ＮＲＧ１は、遅延回路３００に供給され、遅延回路３００よって、プリチャージタイミング信号ＮＲＧ１は遅延される。この遅延されたプリチャージタイミング信号ＮＲＧ２に同期して、ショート回路３００は、６本の画像信号線６をショートさせる、即ち、プリチャージ期間３１よりも遅延期間Δｔだけ遅れて、プリチャージ期間３１と同じ長さだけショートさせる。
【００７５】
プリチャージ期間３１の終了時には、画像信号線６からのプリチャージ信号４５の供給は一斉に終了する。そのため、プリチャージ期間３１の終了時には、画像信号線６のプリチャージ信号４５に揺らぎが生じる。この揺らぎが回復するまでの時間は、複数の画像信号線６の時定数によって異なる。従って、プリチャージ期間３１の終了時に複数の画像信号線６のショートを終了すると、その後、複数の画像信号線６の時定数が相異するため、この揺らぎが回復するまでの時間も異なってしまう可能性がある。
【００７６】
しかるに本実施形態によれば、プリチャージ期間３１よりも遅れて、プリチャージ期間３１と同じ長さだけショートさせるので、プリチャージ期間３１の終了時においても、複数の画像信号線６はショートされている。このため、プリチャージ期間３１の終了時における画像信号線６のプリチャージ信号４５の揺らぎが回復するまでの期間は、複数の画像信号線６をショートさせている。その結果、複数の画像信号線６に接続された複数のデータ線３の相互間で、プリチャージ期間３１に相互に異なる電位にチャージされてしまうのを一層有効に防止することができる。
【００７７】
（第３実施形態）
第３実施形態に係る液晶装置について、図８及び図９を参照して説明する。ここに図８は、第３実施形態における図４と同趣旨の図である。図９は、第３実施形態における図５と同趣旨の図である。尚、図８及び図９において、図１から図５に示した第１実施形態に係る構成要素と同様の構成要素に同一の参照符合を付し、それらの説明は適宜省略する。
【００７８】
図８及び図９において、第３実施形態の液晶装置では特に、プリチャージ期間３１を包含する期間を規定するショート期間選択信号ＳＨが外部から供給され、ショート回路３００は、供給されたショート期間選択信号ＳＨに同期して、６本の画像信号線６をショートさせる。即ち、プリチャージ期間３１の開始時点より早い時点からプリチャージ期間３１の終了時点よりも遅い時点まで、プリチャージ期間と同じ長さだけショートさせる。このため、プリチャージ信号４５のプリチャージ期間３１の開始時点での立ち上がり及びプリチャージ期間３１の終了時点での立下りにおける、画像信号線６の時定数の相異に起因するプリチャージ信号４５の揺らぎの影響を受けずに済む。よって、複数の画像信号線６に接続された複数のデータ線３の相互間で、プリチャージ期間３１に相互に異なる電位にチャージされてしまうのを、より一層有効に防止することができる。
【００７９】
（電子機器）
次に、上述した電気光学装置である液晶装置を各種の電子機器に適用する場合について説明する。
【００８０】
まず、この液晶装置をライトバルブとして用いたプロジェクタについて説明する。図１０は、プロジェクタの構成例を示す平面図である。この図１０に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８１】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８２】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００８３】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８４】
次に、液晶装置を、モバイル型のパーソナルコンピュータに適用した例について説明する。図１１は、このパーソナルコンピュータの構成を示す斜視図である。図１１において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００８５】
さらに、液晶装置を、携帯電話に適用した例について説明する。図１２は、この携帯電話の構成を示す斜視図である。図１２において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００８６】
尚、図１０から図１２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００８７】
本発明は、上述した実施形態に限られるものではなく、請求の範囲及び明細書全体から読み取れる発明の要旨或いは思想に反しない範囲で適宜変更可能であり、そのような変更を伴う電気光学装置、電気光学装置の駆動方法及び該電気光学装置を備えてなる電子機器もまた本発明の技術的範囲に含まれるものである。
【図面の簡単な説明】
【００８８】
【図１】本発明の第１実施形態に係る液晶装置の全体構成を示す平面図である。
【図２】図１のＨ−Ｈ'の断面図である。
【図３】本発明の第１実施形態に係る液晶装置の要部構成を表すブロック図ある。
【図４】図３に示した構成のうちビデオプリチャージ動作に関する駆動系を表すブロック図である。
【図５】図４に示した駆動系における各種信号のタイミングチャートである。
【図６】本発明の第２実施形態における図４と同趣旨の図である。
【図７】本発明の第２実施形態における図５と同趣旨の図である。
【図８】本発明の第３実施形態における図４と同趣旨の図である。
【図９】本発明の第３実施形態における図５と同趣旨の図である。
【図１０】電気光学装置を適用した電子機器の一例たるプロジェクタの構成を示す平面図である。
【図１１】電気光学装置を適用した電子機器の一例たるパーソナルコンピュータの構成を示す斜視図である。
【図１２】電気光学装置を適用した電子機器の一例たる携帯電話の構成を示す斜視図である。
【符号の説明】
【００８９】
９ａ…画素電極、２…走査線、３…データ線、６…画像信号線、７…サンプリング回路、１０…ＴＦＴアレイ基板、１０ａ…画像表示領域、２０…対向基板、２１…対向電極、２３…遮光膜、４５…プリチャージ信号、５０…液晶層、５２…シール材、５３…額縁遮光膜、７１…サンプリングスイッチ、１０１…データ線駆動回路、１０２…外部回路接続端子、１０４…走査線駆動回路、１０５…画像信号供給部、１０６…上下導通端子、１０７…上下導通材、３００…ショート回路、３１０…薄膜トランジスタ、４００…遅延回路、ＬＣＣ…対向電極電位、ＮＲＧ…プリチャージタイミング信号、ＳＨ…ショート期間選択信号、ＶＩＤ１〜ＶＩＤ６…画像信号
【図１】
2006235282.tif 000003
【図２】
2006235282.tif 000004
【図３】
2006235282.tif 000005
【図４】
2006235282.tif 000006
【図５】
2006235282.tif 000007
【図６】
2006235282.tif 000008
【図７】
2006235282.tif 000009
【図８】
2006235282.tif 000010
【図９】
2006235282.tif 000011
【図１０】
2006235282.tif 000012
【図１１】
2006235282.tif 000013
【図１２】
2006235282.tif 000014